(57)【要約】 【課題】ガンマ電圧の出力偏差を減少させ表示品質を改善することのできるガンマ電圧発生装置及びこれを具備した表示装置並びに表示ドライバを提供する。【解決手段】表示パネル及び該表示パネル上に実装された複数の駆動チップを含み、該各駆動チップは、前記表示パネルのソース配線にデータ信号を出力するデータ駆動部を含む表示装置のガンマ電圧発生装置において、前記駆動チップ内に形成され、電源端子と接地端子との間に直列に連結される複数のガンマ抵抗と、前記データ駆動部と直接連結され前記ガンマ抵抗によって分配されたガンマ電圧を前記データ駆動部に出力する複数の出力端子と、前記出力端子と電気的に連結され、前記表示パネルの一側に配置された印刷回路基板に実装され前記ガンマ電圧を安定化させる安定化回路部とを有する。【選択図】      図３
2007213028.tif 000002
【特許請求の範囲】
【請求項１】
表示パネル及び該表示パネル上に実装された複数の駆動チップを含み、該各駆動チップは、前記表示パネルのソース配線にデータ信号を出力するデータ駆動部を含む表示装置のガンマ電圧発生装置において、
前記駆動チップ内に形成され、電源端子と接地端子との間に直列に連結される複数のガンマ抵抗と、
前記データ駆動部と直接連結され前記ガンマ抵抗によって分配されたガンマ電圧を前記データ駆動部に出力する複数の出力端子と、
前記出力端子と電気的に連結され、前記表示パネルの一側に配置された印刷回路基板に実装され前記ガンマ電圧を安定化させる安定化回路部とを有することを特徴とするガンマ電圧発生装置。
【請求項２】
前記安定化回路部は、前記出力端子にそれぞれ電気的に連結された複数の外部キャパシタを含むことを特徴とする請求項１に記載のガンマ電圧発生装置。
【請求項３】
前記安定化回路部は、前記ガンマ抵抗の抵抗比と同じ抵抗比を有して前記電源端子と接地端子との間に直列に連結される複数の外部抵抗を更に含むことを特徴とする請求項２に記載のガンマ電圧発生装置。
【請求項４】
前記外部抵抗の個数は、前記ガンマ抵抗の個数より少ないことを特徴とする請求項３に記載のガンマ電圧発生装置。
【請求項５】
前記出力端子のうち、第１極性を有する上位及び下位ガンマ電圧を出力する第１及び第２出力端子にそれぞれ連結され前記第１極性を有する上位及び下位ガンマ電圧を緩衝して前記データ駆動部に出力する第１及び第２出力バッファと、
前記出力端子のうち、第２極性を有する上位及び下位ガンマ電圧を出力する第３及び第４出力端子にそれぞれ連結され前記第２極性を有する上位及び下位ガンマ電圧を緩衝して前記データ駆動部に出力する第３及び第４出力バッファとを更に有することを特徴とする請求項１に記載のガンマ電圧発生装置。
【請求項６】
表示パネル及び該表示パネル上に実装された複数の駆動チップを含み、該各駆動チップは、前記表示パネルのソース配線にデータ信号を出力するデータ駆動部を含む表示装置のガンマ電圧発生装置において、
前記駆動チップ内に形成され、電源端子と接地端子との間に直列に連結される複数のガンマ抵抗と、
互いに隣接したガンマ抵抗間に形成され、ガンマ電圧を出力する複数の出力端子と、
前記出力端子のうち、第１極性を有する上位及び下位ガンマ電圧を出力する第１及び第２出力端子にそれぞれ連結され前記第１極性を有する上位及び下位ガンマ電圧を緩衝して前記データ駆動部に出力する第１及び第２出力バッファと、
前記出力端子のうち、第２極性を有する上位及び下位ガンマ電圧を出力する第３及び第４出力端子にそれぞれ連結され前記第２極性を有する上位及び下位ガンマ電圧を緩衝して前記データ駆動部に出力する第３及び第４出力バッファとを有することを特徴とするガンマ電圧発生装置。
【請求項７】
前記表示パネルの一側に配置された印刷回路基板に実装され、前記出力端子にそれぞれ連結される複数の外部キャパシタを更に有することを特徴とする請求項６に記載のガンマ電圧発生装置。
【請求項８】
前記印刷回路基板に実装され、前記ガンマ抵抗の抵抗比と同じ抵抗比を有して前記電源端子と接地端子との間に直列に連結される複数の外部抵抗を更に有することを特徴とする請求項７に記載のガンマ電圧発生装置。
【請求項９】
ソース配線が形成された表示パネルと、該表示パネルに実装された複数の駆動チップと、前記表示パネルと外部装置とを連結する印刷回路基板とを含む表示装置において、
各駆動チップ内に形成され、電源端子と接地端子との間に直列に連結され前記電源電圧を複数のガンマ電圧に分配する複数のガンマ抵抗と、
前記印刷回路基板に実装され前記ガンマ電圧を安定化させる安定化回路部と、
前記駆動チップ内に形成され、前記ガンマ電圧に基づいて変換されたデータ信号を所定グループのソース配線に出力するデータ駆動部とを有することを特徴とする表示装置。
【請求項１０】
互いに隣接したガンマ抵抗間に形成され、前記ガンマ電圧を出力する複数の出力端子と、
前記出力端子のうち、第１極性を有する上位及び下位ガンマ電圧を出力する第１及び第２出力端子にそれぞれ連結され前記第１極性を有する上位及び下位ガンマ電圧を緩衝して前記データ駆動部に出力する第１及び第２出力バッファと、
前記出力端子のうち、第２極性を有する上位及び下位ガンマ電圧を出力する第３及び第４出力端子にそれぞれ連結され前記第２極性を有する上位及び下位ガンマ電圧を緩衝して前記データ駆動部に出力する第３及び第４出力バッファとを更に有することを特徴とする請求項９に記載の表示装置。
【請求項１１】
前記安定化回路部は、前記ガンマ電圧が出力される前記複数の出力端子にそれぞれ連結される複数の外部キャパシタを含むことを特徴とする請求項９に記載の表示装置。
【請求項１２】
前記ガンマ抵抗の抵抗比と同じ抵抗比を有して前記電源端子と接地端子との間に直列に連結される複数の外部抵抗を更に有することを特徴とする請求項１０に記載の表示装置。
【請求項１３】
前記外部抵抗の個数は、前記ガンマ抵抗の個数より少ないことを特徴とする請求項１０に記載の表示装置。
【請求項１４】
ガンマ電圧を安定化させる安定化回路部を含む表示ドライバにおいて、
入力電圧を複数のガンマ電圧に分割するために直列に連結される複数の抵抗のグループと、
前記抵抗のグループのそれぞれの端部に連結された出力バッファとを有することを特徴とする表示ドライバ。
【発明の詳細な説明】
【技術分野】
【０００１】
本発明は、ガンマ電圧発生装置及びこれを具備した表示装置並びに表示ドライバに関し、より詳細には、表示品質を改善することのできるガンマ電圧発生装置及びこれを具備した表示装置並びに表示ドライバに関する。
【背景技術】
【０００２】
一般に、液晶表示装置は、薄くて軽いので小型化が容易で、低い駆動電圧及び消費電力を有し、陰極線管に近い画質の具現が可能なので、移動通信端末機、モニター、及びノートパソコン等のような中小型の表示装置に多く使用されている。
【０００３】
中小型表示装置は、液晶表示パネル及び液晶表示パネルに実装されチップで形成された液晶表示パネルを駆動させる駆動装置を含む。駆動チップのサイズと個数は、駆動される液晶表示パネルの解像度及びサイズに依存する。これによって、液晶表示パネルのサイズ及び解像度が大きくなるにつれて、複数の駆動チップが必要となる。このように複数の駆動チップを具備した表示装置は、複数の駆動チップによって液晶表示パネルが駆動される。
【０００４】
従って、駆動チップ間の駆動特性の相違（偏差）によって液晶表示パネルの表示領域におけるコントラストの相違（偏差）が発生する。このように、複数の駆動チップによって駆動する液晶表示パネルは、駆動チップ間の出力偏差によって表示品質が低下するという問題点を有する。
【発明の開示】
【発明が解決しようとする課題】
【０００５】
そこで、本発明は上記従来の表示装置における問題点に鑑みてなされたものであって、本発明の目的は、ガンマ電圧の出力偏差を減少させることのできるガンマ電圧発生装置を提供することにある。
【０００６】
本発明の他の目的は、上記ガンマ電圧発生装置を具備した表示装置並びに表示ドライバを提供することにある。
【課題を解決するための手段】
【０００７】
上記目的を達成するためになされた本発明によるガンマ電圧発生装置は、表示パネル及び該表示パネル上に実装された複数の駆動チップを含み、該各駆動チップは、前記表示パネルのソース配線にデータ信号を出力するデータ駆動部を含む表示装置のガンマ電圧発生装置において、前記駆動チップ内に形成され、電源端子と接地端子との間に直列に連結される複数のガンマ抵抗と、前記データ駆動部と直接連結され前記ガンマ抵抗によって分配されたガンマ電圧を前記データ駆動部に出力する複数の出力端子と、前記出力端子と電気的に連結され、前記表示パネルの一側に配置された印刷回路基板に実装され前記ガンマ電圧を安定化させる安定化回路部とを有することを特徴とする。
【０００８】
前記安定化回路部は、前記出力端子にそれぞれ電気的に連結された複数の外部キャパシタを含むことが好ましい。
前記安定化回路部は、前記ガンマ抵抗の抵抗比と同じ抵抗比を有して前記電源端子と接地端子との間に直列に連結される複数の外部抵抗を更に含むことが好ましい。
前記外部抵抗の個数は、前記ガンマ抵抗の個数より少ないことが好ましい。
前記出力端子のうち、第１極性を有する上位及び下位ガンマ電圧を出力する第１及び第２出力端子にそれぞれ連結され前記第１極性を有する上位及び下位ガンマ電圧を緩衝して前記データ駆動部に出力する第１及び第２出力バッファと、前記出力端子のうち、第２極性を有する上位及び下位ガンマ電圧を出力する第３及び第４出力端子にそれぞれ連結され前記第２極性を有する上位及び下位ガンマ電圧を緩衝して前記データ駆動部に出力する第３及び第４出力バッファとを更に有することが好ましい。
【０００９】
また、上記目的を達成するためになされた本発明によるガンマ電圧発生装置は、表示パネル及び該表示パネル上に実装された複数の駆動チップを含み、該各駆動チップは、前記表示パネルのソース配線にデータ信号を出力するデータ駆動部を含む表示装置のガンマ電圧発生装置において、前記駆動チップ内に形成され、電源端子と接地端子との間に直列に連結される複数のガンマ抵抗と、互いに隣接したガンマ抵抗間に形成され、ガンマ電圧を出力する複数の出力端子と、前記出力端子のうち、第１極性を有する上位及び下位ガンマ電圧を出力する第１及び第２出力端子にそれぞれ連結され前記第１極性を有する上位及び下位ガンマ電圧を緩衝して前記データ駆動部に出力する第１及び第２出力バッファと、前記出力端子のうち、第２極性を有する上位及び下位ガンマ電圧を出力する第３及び第４出力端子にそれぞれ連結され前記第２極性を有する上位及び下位ガンマ電圧を緩衝して前記データ駆動部に出力する第３及び第４出力バッファとを有することを特徴とする。
【００１０】
前記表示パネルの一側に配置された印刷回路基板に実装され、前記出力端子にそれぞれ連結される複数の外部キャパシタを更に有することが好ましい。
前記印刷回路基板に実装され、前記ガンマ抵抗の抵抗比と同じ抵抗比を有して前記電源端子と接地端子との間に直列に連結される複数の外部抵抗を更に有することが好ましい。
【００１１】
上記目的を達成するためになされた本発明による表示装置は、ソース配線が形成された表示パネルと、該表示パネルに実装された複数の駆動チップと、前記表示パネルと外部装置とを連結する印刷回路基板とを含む表示装置において、各駆動チップ内に形成され、電源端子と接地端子との間に直列に連結され前記電源電圧を複数のガンマ電圧に分配する複数のガンマ抵抗と、前記印刷回路基板に実装され前記ガンマ電圧を安定化させる安定化回路部と、前記駆動チップ内に形成され、前記ガンマ電圧に基づいて変換されたデータ信号を所定グループのソース配線に出力するデータ駆動部とを有することを特徴とする。
【００１２】
互いに隣接したガンマ抵抗間に形成され、前記ガンマ電圧を出力する複数の出力端子と、前記出力端子のうち、第１極性を有する上位及び下位ガンマ電圧を出力する第１及び第２出力端子にそれぞれ連結され前記第１極性を有する上位及び下位ガンマ電圧を緩衝して前記データ駆動部に出力する第１及び第２出力バッファと、前記出力端子のうち、第２極性を有する上位及び下位ガンマ電圧を出力する第３及び第４出力端子にそれぞれ連結され前記第２極性を有する上位及び下位ガンマ電圧を緩衝して前記データ駆動部に出力する第３及び第４出力バッファとを更に有することが好ましい。
前記安定化回路部は、前記ガンマ電圧が出力される前記複数の出力端子にそれぞれ連結される複数の外部キャパシタを含むことが好ましい。
前記ガンマ抵抗の抵抗比と同じ抵抗比を有して前記電源端子と接地端子との間に直列に連結される複数の外部抵抗を更に有することが好ましい。
前記外部抵抗の個数は、前記ガンマ抵抗の個数より少ないことが好ましい。
【００１３】
上記目的を達成するためになされた本発明による表示ドライバは、ガンマ電圧を安定化させる安定化回路部を含む表示ドライバにおいて、入力電圧を複数のガンマ電圧に分割するために直列に連結される複数の抵抗のグループと、前記抵抗のグループのそれぞれの端部に連結された出力バッファとを有することを特徴とする。
【発明の効果】
【００１４】
本発明に係るガンマ電圧発生装置及びこれを具備した表示装置並びに表示ドライバによれば、複数の駆動チップによって駆動される表示パネルを具備した表示装置において、各駆動チップ内のガンマ電圧の出力偏差を除去して、駆動チップ間の駆動偏差による明暗差を除去することができるという効果がある。
【００１５】
具体的には、各駆動チップ内の分配抵抗ストリングの出力端子に接続された出力バッファを除去し、駆動チップの外部に外部抵抗ストリング及び外部キャパシタで構成された安定化回路部を形成して、分配抵抗ストリングによって分配されたガンマ電圧の安定化を図る。これによって、出力バッファ間の出力偏差による駆動チップ間の駆動偏差を除去することができるという効果がある。
【００１６】
又、駆動チップ内の分配抵抗ストリングの出力端子のうち、最上位及び最下位ガンマ電圧を出力する出力端子にのみ出力バッファを接続してデータ電圧の基準となる最上位及び最下位ガンマ電圧を常に一定のレベルに維持させることにより、データ電圧の階調を安定化させると同時に、出力バッファ間の出力偏差を最小化して駆動チップ間の駆動偏差を除去することができるという効果がある。結果的に、駆動チップ間の駆動偏差を除去することにより、表示品質が向上された表示装置を得ることができるという効果がある。
【発明を実施するための最良の形態】
【００１７】
次に、本発明に係るガンマ電圧発生装置及びこれを具備した表示装置並びに表示ドライバを実施するための最良の形態の具体例を図面を参照しながら説明する。
【００１８】
図１は、本発明の実施形態による表示装置の概略的な平面図である。
図１を参照すると、表示装置は、表示パネル１００と表示パネル１００を駆動させる駆動装置２００を含む。
【００１９】
表示パネル１００は、画像を表示する表示領域ＤＡ１、ＤＡ２と、表示領域ＤＡ１、ＤＡ２を取り囲む周辺領域ＰＡ１、ＰＡ２、ＰＡ３で構成される。表示領域（ＤＡ１、ＤＡ２）は、Ｍ個のソース配線（ＤＬ１、．．．、ＤＬＭ）とＮ個のゲート配線（ＧＬ１、．．．、ＧＬＮ）によって定義されたＭ×Ｎ個の画素部Ｐが形成され、各画素部Ｐにはスイッチング素子ＴＦＴ、液晶キャパシタＣＬＣ、及びストレージキャパシタＣＳＴが形成される。
【００２０】
駆動装置２００は、第１周辺領域ＰＡ１に実装された複数の駆動チップ２１０、２２０と、第２及び第３周辺領域ＰＡ２、ＰＡ３に実装又は集積された複数のゲート回路部２３０、２４０及びフレキシブル印刷回路基板３００に実装された安定化回路部２５０を含む。
【００２１】
具体的には、第１駆動チップ２１０は、第１グループのソース配線が形成された第１表示領域ＤＡ１に第１グループのデータ信号を出力する。第２駆動チップ２２０は、第２グループのソース配線が形成された第２表示領域ＤＡ２に第２グループのデータ信号を出力する。この第１及び第２駆動チップ２１０、２２０内には、電源電圧ＡＶＤＤを所定個の第１ガンマ電圧及び第２ガンマ電圧に分配する複数のガンマ抵抗がそれぞれ配置される。
【００２２】
第１ゲート回路部２３０は、第１グループのゲート配線にゲート信号を順次に出力し、第２ゲート回路部２４０は、第２グループのゲート配線にゲート信号を順次に出力する。例えば、第１グループのゲート配線は奇数番目ゲート配線で、第２グループのゲート配線は、偶数番目ゲート配線である。
【００２３】
安定化回路部２５０は、駆動チップ２１０、２２０と外部装置を電気的に連結するフレキシブル印刷回路基板３００上に実装され、第１及び第２駆動チップ２１０、２２０で発生した第１及び第２ガンマ電圧を安定化させる。安定化回路部２５０は、外部抵抗及び外部キャパシタで構成される。
【００２４】
図２は、図１に示した駆動装置（ゲート回路部を除いた）に対するブロック図である。
図１及び図２を参照すると、駆動装置は、第１駆動チップ２１０、第２駆動チップ２２０、及び安定化回路部２５０を含む。
【００２５】
第１駆動チップ２１０は、第１制御部２１１、第１電圧分配部２１２、及び第１データ駆動部２１４を含み、第２駆動チップ２２０は、第２制御部２２１、第２電圧分配部２２２、及び第２データ駆動部２２４を含む。
【００２６】
駆動装置は、第１及び第２駆動チップ２１０、２２０に対応して第１ガンマ電圧発生部２１３及び第２ガンマ電圧発生部２２３を含む。第１ガンマ電圧発生部２１３は、第１電圧分配部２１２と安定化回路部２５０を含み、第２ガンマ電圧発生部２２３は、第２電圧分配部２２２と安定化回路部２５０を含む。
【００２７】
具体的には、第１駆動チップ２１０は、外部装置から制御信号１０１ａ及びデータ信号１０１ｂを受信する。第１制御部２１１は、制御信号１０１ａに基づいて第１データ駆動部２１４を制御する制御信号２１１ａと、ゲート回路部２３０を制御する制御信号２１１ｂをそれぞれ出力する。第１制御部２１１は、入力されたデータ信号１０１ｂを第１データ駆動部２１４に出力する。
【００２８】
第１ガンマ電圧発生部２１３は、第１電圧分配部２１２及び安定化回路部２５０を含む。第１電圧分配部２１２は、外部から提供された電源電圧ＡＶＤＤ及び接地電圧ＧＮＤを複数の第１ガンマ電圧２１２ａに分配して出力する。安定化回路部２５０は、第１電圧分配部２１２と電気的に連結され、第１電圧分配部２１２から出力される第１ガンマ電圧２１２ａを安定化させる。
【００２９】
第１データ駆動部２１４は、第１ガンマ電圧２１２ａを利用して第１制御部２１１から提供されたデータ信号１０１ｂをアナログ形態の第１データ電圧（Ｄ１、．．．、ＤＭ／２）に変換して第１表示領域ＤＡ１の第１データ配線（ＤＬ１、．．．、ＤＬＭ／２）に出力する。
【００３０】
第２駆動チップ２２０は、外部装置から制御信号１０１ａ及びデータ信号１０１ｂを受信する。第２制御部２２１は、制御信号１０１ａに基づいて第２データ駆動部２２４を制御する制御信号２２１ａと、ゲート回路部２４０を制御する制御信号２２１ｂをそれぞれ出力する。第２制御部２２１は、入力されたデータ信号１０１ｂを第２データ駆動部２２４に出力する。
【００３１】
第２ガンマ電圧発生部２２３は、第２電圧分配部２２２及び安定化回路部２５０を含む。第２電圧分配部２２２は、外部から提供された電源電圧ＡＶＤＤ及び接地電圧ＧＮＤを複数の第２ガンマ電圧２２２ａに分配して出力する。安定化回路部２５０は、第２電圧分配部２２２と電気的に連結され、第２電圧分配部２２２から出力される第２ガンマ電圧２２２ａを安定化させる。
【００３２】
第２データ駆動部２２４は、第２ガンマ電圧２２２ａを利用して第２制御部２２１から提供されたデータ信号１０１ｂをアナログ形態の第２データ電圧（ＤＭ／２＋１、．．．、ＤＭ）に変換して、第２表示領域ＤＡ２の第２データ配線（ＤＬＭ／２＋１、．．．、ＤＬＭ）に出力する。
【００３３】
図３は、本発明の第１の実施形態によるガンマ電圧発生部に対する回路図である。
図４は、図１の表示装置に適用された階調ガンマ曲線図である。
【００３４】
図１〜図４を参照すると、表示装置は、第１駆動チップ２１０及び第２駆動チップ２２０にそれぞれ対応して第１ガンマ電圧発生部２１３及び第２ガンマ電圧発生部２２３を含む。
【００３５】
第１ガンマ電圧発生部２１３は、第１駆動チップ２１０内に配置された第１電圧分配部２１２とフレキシブル印刷回路基板３００上に実装された安定化回路部２５０を含む。第１電圧分配部２１２は、電源電圧端子ＡＶＤＤと接地電圧端子ＧＮＤとの間に直列接続された複数の第１ガンマ抵抗（Ｒ１、Ｒ２、．．．、Ｒ１２）と、互いに隣接した第１ガンマ抵抗（Ｒ１、Ｒ２、．．．、Ｒ１２）間に形成された第１出力端子（ＶＲ１０、．．．、ＶＲ１９）を含む。第１出力端子（ＶＲ１０、．．．、ＶＲ１９）には、第１ガンマ電圧（Ｖｐ５、．．．、Ｖｐ１、Ｖｎ１、．．．、Ｖｎ５）が出力される。
具体的には、第１出力端子（ＶＲ１０、．．．、ＶＲ１９）のうち、第１〜第５端子（ＶＲ１０、．．．、ＶＲ１４）は、基準電圧Ｖｃｏｍに対比して第１極性を有する第１ガンマ電圧（Ｖｐ５、．．．、Ｖｐ１）をそれぞれ出力し、第１出力端子（ＶＲ１０、．．．、ＶＲ１９）のうち、第６〜第１０端子（ＶＲ１５、．．．、ＶＲ１９）は、基準電圧Ｖｃｏｍに対比して第２極性を有する第１ガンマ電圧（Ｖｎ１、．．．、Ｖｎ５）をそれぞれ出力する。
【００３６】
安定化回路部２５０は、電源電圧端子ＡＶＤＤと接地電圧端子ＧＮＤとの間に直列に接続された外部抵抗（Ｒｓ１、．．．、Ｒｓ５）と、第１出力端子（ＶＲ１０、．．．、ＶＲ１９）にそれぞれ連結された外部キャパシタ（Ｃｓ１、．．．、Ｃｓ１０）を含む。外部抵抗（Ｒｓ１、．．．、Ｒｓ５）は、第１ガンマ抵抗（Ｒ１、Ｒ２、．．．、Ｒ１２）の抵抗比に相当する抵抗比を有する。例えば、（Ｒｓ１＋．．．＋Ｒｓ５）：（Ｒｓ１）は、（Ｒ１＋．．．＋Ｒ１２）：（Ｒ１＋Ｒ２）と同じである。これによって、外部抵抗Ｒｓ１は、第１出力端子ＶＲ１０、ＶＲ１１に出力される第１ガンマ電圧Ｖｐ５、Ｖｐ４を再度安定に分配させる。又、第１出力端子ＶＲ１０、ＶＲ１１に連結された外部キャパシタＣｓ１、Ｃｓ２も第１ガンマ電圧Ｖｐ５、Ｖｐ４のリップル成分を除去する。
【００３７】
第２電圧分配部２２２は、電源電圧端子ＡＶＤＤと接地電圧端子ＧＮＤとの間に直列接続された複数の第２ガンマ抵抗（Ｒ１、Ｒ２、．．．、Ｒ１２）と互いに隣接した第２ガンマ抵抗（Ｒ１、Ｒ２、．．．、Ｒ１２）との間に形成された第２出力端子（ＶＲ２０、．．．、ＶＲ２９）を含む。第２ガンマ抵抗（Ｒ１、Ｒ２、．．．、Ｒ１２）は、第１ガンマ抵抗と実質的に同じ抵抗比を有する。
【００３８】
第２出力端子（ＶＲ２０、．．．、ＶＲ２９）には、第２ガンマ電圧（Ｖｐ５、．．．、Ｖｐ１、Ｖｎ１、．．．、Ｖｎ５）が出力される。具体的には、第２出力端子（ＶＲ２０、．．．、ＶＲ２９）のうち、第１〜第５端子（ＶＲ２０、．．．、ＶＲ２４）は、基準電圧Ｖｃｏｍに対比して第１極性を有する第２ガンマ電圧（Ｖｐ５、．．．、Ｖｐ１）をそれぞれ出力し、第２出力端子（ＶＲ２０、．．．、ＶＲ２９）のうち、第６〜第１０端子（ＶＲ２５、．．．、ＶＲ２９）は、基準電圧Ｖｃｏｍに対比して第２極性を有する第２ガンマ電圧（Ｖｎ１、．．．、Ｖｎ５）をそれぞれ出力する。
【００３９】
安定化回路部２５０の外部抵抗（Ｒｓ１、．．．、Ｒｓ５）は、第２ガンマ抵抗（Ｒ１、Ｒ２、．．．、Ｒ１２）の抵抗比に相当する抵抗比を有する。これによって、外部抵抗Ｒｓ１は、第２出力端子ＶＲ２０、ＶＲ２１に出力される第２ガンマ電圧Ｖｐ５、Ｖｐ４を上記抵抗比で再度安定に分配させる。又、第２出力端子ＶＲ２０、ＶＲ２１に連結された外部キャパシタＣｓ１、Ｃｓ２も第２ガンマ電圧Ｖｐ５、Ｖｐ４のリップル成分を除去する。
【００４０】
以上のように、それぞれの駆動チップ内に配置されたガンマ抵抗ストリングによって分配されたガンマ電圧は、駆動チップ外部に配置された外部抵抗ストリング及び外部キャパシタで構成された安定化回路部によって安定化される。従って、従来のガンマ電圧を安定化させるために、ガンマ電圧の出力端子毎に接続された出力バッファが不必要で、これによって出力バッファ間の出力偏差によるガンマ電圧の不安定な問題点を除去することができる。結果的に、駆動チップ間の駆動偏差を除去することにより、駆動チップ別に表示する画像の明暗差を除去して表示品質を向上させることができる。
【００４１】
図５は、本発明の第２の実施形態によるガンマ電圧発生部に対する回路図である。
図４及び図５を参照すると、第１ガンマ電圧発生部４１３は、第１駆動チップ４１０内に配置された第１電圧分配部４１２及びフレキシブル印刷回路基板（３００：図１参照）上に実装された安定化回路部２５０を含む。
【００４２】
第１電圧分配部４１２は、複数の第１ガンマ抵抗（Ｒ１、Ｒ２、．．．、Ｒ１２）と、第１出力端子（ＶＲ１０、．．．、ＶＲ１９）及び第１〜第４出力バッファ（Ｂ１１、Ｂ１２、Ｂ１３、Ｂ１４）を含む。第１出力端子（ＶＲ１０、．．．、ＶＲ１９）のうち、第１〜第５端子（ＶＲ１０、．．．、ＶＲ１４）は、基準電圧Ｖｃｏｍに対比して第１極性を有する第１ガンマ電圧（Ｖｐ５、．．．、Ｖｐ１）をそれぞれ出力し、第１出力端子（ＶＲ１０、．．．、ＶＲ１９）のうち、第６〜第１０端子（ＶＲ１５、．．．、ＶＲ１９）は、基準電圧Ｖｃｏｍに対比して第２極性を有する第１ガンマ電圧（Ｖｎ１、．．．、Ｖｎ５）をそれぞれ出力する。
【００４３】
第１出力バッファＢ１１は、第１極性の第１ガンマ電圧のうち、上位レベルの第１ガンマ電圧Ｖｐ５を出力する出力端子ＶＲ１０に接続され、第２出力バッファＢ１２は、第１極性の第１ガンマ電圧のうち、下位レベルの第１ガンマ電圧Ｖｐ１を出力する出力端子ＶＲ１４に接続される。これによって、第１出力バッファＢ１１は、第１ガンマ電圧Ｖｐ５を緩衝して出力し、第２出力バッファＢ１２は、第１ガンマ電圧Ｖｐ１を緩衝して出力する。
【００４４】
第３出力バッファＢ１３は、第２極性の第１ガンマ電圧のうち、上位レベルの第１ガンマ電圧Ｖｎ１を出力する出力端子ＶＲ１５に接続され、第４出力バッファＢ１４は、第２極性の第１ガンマ電圧のうち、下位レベルの第１ガンマ電圧Ｖｎ５を出力する出力端子ＶＲ１９に接続される。これによって、第３出力バッファＢ１３は、第１ガンマ電圧Ｖｎ１を緩衝して出力し、第４出力バッファＢ１４は、第１ガンマ電圧Ｖｎ５を緩衝して出力する。
【００４５】
第１〜第４出力バッファ（Ｂ１１、．．．、Ｂ１４）によって第１及び第２極性の上位及び下位レベルのガンマ電圧を常に一定レベルに維持させることにより、第１ガンマ電圧に基づいて変換されるデータ電圧の階調を安定化させることができる。
【００４６】
安定化回路部２５０は、図３で説明したように、外部抵抗（Ｒｓ１、．．．、Ｒｓ５）は、第１ガンマ電圧（Ｖｐ５、．．．、Ｖｐ１、Ｖｎ１、．．．、Ｖｎ５）を安定に分配させ、外部キャパシタ（Ｃｓ１、．．．、Ｃｓ１０）は、第１ガンマ電圧（Ｖｐ５、．．．、Ｖｐ１、Ｖｎ１、．．．、Ｖｎ５）のリップル成分を除去する。これによって、第１ガンマ電圧発生部４１３は、より安定化された第１ガンマ電圧を出力する。
【００４７】
第２電圧分配部４２２は、複数の第２ガンマ抵抗（Ｒ１、Ｒ２、．．．、Ｒ１２）と、第２出力端子（ＶＲ２０、．．．、ＶＲ２９）及び第５〜第８出力バッファ（Ｂ２１、Ｂ２２、Ｂ２３、Ｂ２４）を含む。第２出力端子（ＶＲ２０、．．．、ＶＲ２９）のうち、第１〜第５端子（ＶＲ２０、．．．、ＶＲ２４）は、基準電圧Ｖｃｏｍに対比して第１極性を有する第２ガンマ電圧（Ｖｐ５、．．．、Ｖｐ１）をそれぞれ出力し、第２出力端子（ＶＲ２０、．．．、ＶＲ２９）のうち、第６〜第１０端子（ＶＲ２５、．．．、ＶＲ２９）は、基準電圧Ｖｃｏｍに対比して第２極性を有する第２ガンマ電圧（Ｖｎ１、．．．、Ｖｎ５）をそれぞれ出力する。
【００４８】
第５出力バッファＢ２１は、第１極性の第２ガンマ電圧のうち、上位レベルの第２ガンマ電圧Ｖｐ５を出力する出力端子ＶＲ２０に接続され、第６出力バッファＢ２２は、第１極性の第２ガンマ電圧のうち、下位レベルの第２ガンマ電圧Ｖｐ１を出力する出力端子ＶＲ２４に接続される。これによって、第５出力バッファＢ２１は、第２ガンマ電圧Ｖｐ５を緩衝して出力し、第６出力バッファＢ２２は、第２ガンマ電圧Ｖｐ１を緩衝して出力する。
【００４９】
第７出力バッファＢ２３は、第２極性の第２ガンマ電圧のうち、上位レベルの第２ガンマ電圧Ｖｎ１を出力する出力端子ＶＲ２５に接続され、第８出力バッファＢ２４は、第２極性の第２ガンマ電圧のうち、下位レベルの第２ガンマ電圧Ｖｎ５を出力する出力端子ＶＲ２９に接続される。これによって、第７出力バッファＢ２３は、第２ガンマ電圧Ｖｎ１を緩衝して出力し、第８出力バッファＢ２４は、第２ガンマ電圧Ｖｎ５を緩衝して出力する。
【００５０】
第５〜第８出力バッファ（Ｂ２１、．．．、Ｂ２４）によって上位及び下位レベルの第２ガンマ電圧を常に一定レベルに維持させることにより、第２ガンマ電圧に基づいて変換されるデータ電圧の階調を安定化させることができる。
【００５１】
安定化回路部２５０は、外部抵抗（Ｒｓ１、．．．、Ｒｓ５）を通じて第２ガンマ電圧（Ｖｐ５、．．．、Ｖｐ１、Ｖｎ１、．．．、Ｖｎ５）をより安定に分配し、外部キャパシタ（Ｃｓ１、．．．、Ｃｓ１０）を通じて第２ガンマ電圧（Ｖｐ５、．．．、Ｖｐ１、Ｖｎ１、．．．、Ｖｎ５）のリップル成分を除去する。これによって、第２ガンマ電圧発生部４２３は、より安定化された第２ガンマ電圧を出力する。
【００５２】
図６は、本発明の第３の実施形態によるガンマ電圧発生部に対する回路図である。
【００５３】
図６を参照すると、図５に示した第２の実施形態のガンマ電圧発生部と比較する時、外部抵抗が除去された安定化回路部４５０を有し、残り構成要素は同じなので、詳細な説明は省略する。
【００５４】
図５、６で示した第２及び第３実施形態のように、それぞれの駆動チップ内に配置されたガンマ抵抗ストリングの出力端子のうち、最上位及び最下位ガンマ電圧を出力する出力端子にのみ出力バッファを接続して、最上位及び最下位ガンマ電圧を一定レベルに常に維持させてガンマ電圧に基づいて変換されるデータ電圧の階調偏差を除去する。
【００５５】
即ち、出力バッファを最上位及び最下位ガンマ電圧の出力端子にのみ接続して出力バッファ間の出力偏差によるガンマ電圧が不安定になる問題点を最小化することができる。又、データ電圧の基準とする最上位及び最下位ガンマ電圧を常に一定のレベルに維持させることにより、データ電圧の階調偏差を最小化することができる。
【００５６】
又、駆動チップの外部に配置された外部抵抗ストリング及び／又は外部キャパシタで構成された安定化回路部によってガンマ電圧をより安定化させることができる。
【００５７】
結果的に、駆動チップ間の駆動偏差を除去することにより、駆動チップ別に表示する画像の明暗差を除去して、表示品質を向上させることができる。
【００５８】
尚、本発明は、上述の実施形態に限られるものではない。本発明の技術的範囲から逸脱しない範囲内で多様に変更実施することが可能である。
【図面の簡単な説明】
【００５９】
【図１】本発明の実施形態による表示装置の概略的な平面図である。
【図２】図１の駆動装置に対するブロック図である。
【図３】本発明の第１の実施形態によるガンマ電圧発生部に対する回路図である。
【図４】図１の表示装置に適用された階調ガンマ曲線図である。
【図５】本発明の第２の実施形態によるガンマ電圧発生部に対する回路図である。
【図６】本発明の第３の実施形態によるガンマ電圧発生部に対する回路図である。
【符号の説明】
【００６０】
１００      表示パネル
２００      駆動装置
２１０、４１０    第１駆動チップ
２２０、４２０    第２駆動チップ
２１１      第１制御部
２１２、４１２    第１電圧分配部
２１３、４１３    第１ガンマ電圧発生部
２１４      第１データ駆動部
２２１      第２制御部
２２２、４２２    第２電圧分配部
２２３、４２３    第２ガンマ電圧発生部
２２４      第２データ駆動部
２３０      第１ゲート回路部
２４０      第２ゲート回路部
２５０、４５０    安定化回路部
３００      フレキシブル印刷回路基板
Ｂ１１、Ｂ１２、Ｂ１３、Ｂ１４    （第１〜第４）出力バッファ
Ｂ２１、Ｂ２２、Ｂ２３、Ｂ２４    （第５〜第８）出力バッファ
Ｒ１、Ｒ２、．．．、Ｒ１２    （第１、第２）ガンマ抵抗
Ｒｓ１、．．．、Ｒｓ５    外部抵抗
Ｃｓ１、．．．、Ｃｓ１０    外部キャパシタ
【図１】
2007213028.tif 000003
【図２】
2007213028.tif 000004
【図３】
2007213028.tif 000005
【図４】
2007213028.tif 000006
【図５】
2007213028.tif 000007
【図６】
2007213028.tif 000008